(57)【要約】【課題】支持対象物が載置される板状部材上面の平面度を、簡易な構成によって確保することができる支持装置等を提供する。【解決手段】上面が開放された箱状のボックス部５２と、ボックス部５２の上面を覆うように設けられ、支持対象物が載置される支持面を有する板状部材５３と、ボックス部５２を下方から支持するＸ軸延在部材５６と、Ｙ軸方向に延在し且つＸ軸方向に並ぶようにしてボックス部５２内に設けられ、板状部材５３を支持する複数のＹ軸延在部材５５と、を備えた。【選択図】図１０
2014188792.tif 000002
【特許請求の範囲】
【請求項１】
上面が開放された箱状のボックス部と、
前記ボックス部の上面を覆うように設けられ、支持対象物が載置される支持面を有する板状部材と、
前記ボックス部を下方から支持するベース部と、
水平面内における第１の方向に延在し且つ水平面内において第１の方向と直交する第２の方向に並ぶようにして前記ボックス部内に設けられ、前記板状部材を支持する複数の第１延在部材と、
を備えたことを特徴とする支持装置。
【請求項２】
前記ベース部は、第２の方向に延在し且つ第１の方向に並ぶようにして設けられた複数の第２延在部材を有することを特徴とする請求項１に記載の支持装置。
【請求項３】
前記板状部材を前記ベース部に締結する締結部材は、第２の方向に並んだ複数の前記第１延在部材同士の間を通って、前記ベース部と接続されていることを特徴とする請求項１または２に記載の支持装置。
【請求項４】
前記複数の第１延在部材は、相互の間隔が広狭混在するようにして、第２の方向に並んでおり、
前記締結部材は、間隔が広い第１延在部材同士の間隙および間隔が狭い第１延在部材同士の間隙のうち、間隔が狭い第１延在部材同士の間隙を通って、前記ベース部と接続されていることを特徴とする請求項３に記載の支持装置。
【請求項５】
前記板状部材には、複数の吸引孔が形成されており、
前記板状部材と前記ボックス部との間に構成された吸引チャンバーを介して、複数の前記吸引孔に負圧吸引力を作用させる吸引部を、備えたことを特徴とする請求項１ないし４のいずれか１項に記載の支持装置。
【請求項６】
請求項１ないし５のいずれか１項に記載の支持装置と、
前記板状部材の支持面に支持された支持対象物である記録媒体に対し、記録を行う記録部と、
を備えたことを特徴とする記録装置。
【請求項７】
請求項５に記載の支持装置と、
前記板状部材の支持面に支持された支持対象物である記録媒体に対し、紫外線硬化型インクを吐出するインクジェットヘッドを有する記録部と、
前記板状部材の支持面に向けて紫外線を照射する照射部と、を備え、
複数の前記吸引孔は、第１の方向に延在し且つ第２の方向に並んだ複数の吸引孔列を構成しており、
前記各第１延在部材は、第２の方向において前記各吸引孔列と重複しない位置に設けられていることを特徴とする記録装置。
【発明の詳細な説明】
【技術分野】
【０００１】
本発明は、記録媒体などの支持対象物を支持する支持装置、および該支持装置を備えた記録装置に関するものである。
【背景技術】
【０００２】
従来、記録媒体であるロール紙を支持するテーブル装置として、上面に連通溝が形成されたベースパネルと、ベースパネルの上面を覆うように設けられ、複数の孔が開口した上面にロール紙を吸着するパネルと、ベースパネルを下方から支持するフレームとを備えたものが知られている。パネルは、その縁部において連通溝の周縁部に支持されている（例えば、特許文献１参照）。
【先行技術文献】
【特許文献】
【０００３】
【特許文献１】特開２０１１−１４８２１７号公報
【発明の概要】
【発明が解決しようとする課題】
【０００４】
従来のテーブル装置（支持装置）では、パネル（板状部材）が、その縁部において連通溝の周縁部に支持されているだけであるため、特にパネルが大型化した場合には、パネルが下方に撓んでしまい、パネル上面の平面度を確保することが困難であった。この問題に対し、パネルを、連通溝内に島状に分散配置された複数のスペーサーにより支持することが考えられる。しかしながら、この場合、パネル上面の平面度を確保するためには、スペーサーを、相当程度、密に配置する必要があるため、コスト高となってしまう。
【０００５】
本発明は、支持対象物が載置される板状部材上面の平面度を、簡易な構成によって確保することができる支持装置、および該支持装置を備えた記録装置を提供することを課題としている。
【課題を解決するための手段】
【０００６】
本発明の支持装置は、上面が開放された箱状のボックス部と、ボックス部の上面を覆うように設けられ、支持対象物が載置される支持面を有する板状部材と、ボックス部を下方から支持するベース部と、水平面内における第１の方向に延在し且つ水平面内において第１の方向と直交する第２の方向に並ぶようにしてボックス部内に設けられ、板状部材を支持する複数の第１延在部材と、を備えたことを特徴とする。
【０００７】
この構成によれば、板状部材が複数の第１延在部材により支持されていることで、板状部材が下方に撓むことが防止される。さらに、第１の方向に延在した複数の第１延在部材により板状部材を支持することで、島状に分散配置された複数のスペーサーにより板状部材を支持する場合に比べ、部品点数を削減することができる。したがって、支持対象物が載置される板状部材上面の平面度を、簡易な構成によって確保することができる。
【０００８】
この場合、ベース部は、第２の方向に延在し且つ第１の方向に並ぶようにして設けられた複数の第２延在部材を有することが好ましい。
【０００９】
この構成によれば、複数の第１延在部材および板状部材が、第１の方向に並んだ複数の第２延在部材によりボックス部を介して支持されていることで、複数の第１延在部材および板状部材が、第１の方向において下方に撓むことが防止される。したがって、板状部材上面の平面度をより良好に確保することができる。
【００１０】
この場合、板状部材をベース部に締結する締結部材は、第２の方向に並んだ複数の第１延在部材同士の間を通って、ベース部と接続されていることが好ましい。
この場合、複数の第１延在部材は、相互の間隔が広狭混在するようにして、第２の方向に並んでおり、締結部材は、間隔が広い第１延在部材同士の間隙および間隔が狭い第１延在部材同士の間隙のうち、間隔が狭い第１延在部材同士の間隙を通って、ベース部と接続されていることが好ましい。
【００１１】
この構成によれば、第２の方向において、締結部材による締結箇所の両側近傍が、第１延在部材によって支持される。これにより、板状部材が締結部材の締結力によって変形することが防止される。したがって、板状部材上面の平面度をより良好に確保することができる。
【００１２】
この場合、板状部材には、複数の吸引孔が形成されており、板状部材とボックス部との間に構成された吸引チャンバーを介して、複数の吸引孔に負圧吸引力を作用させる吸引部を、備えたことが好ましい。
【００１３】
この構成によれば、載置された支持対象物を、板状部材の上面に吸着させることができる。
【００１４】
本発明の記録装置は、上記の支持装置と、板状部材の支持面に支持された支持対象物である記録媒体に対し、記録を行う記録部と、を備えたことを特徴とする。
【００１５】
この構成によれば、板状部材上面の平面度を、簡易な構成によって確保することができる支持装置を備えたことで、板状部材上面に載置された記録媒体表面の平面度も確保される。したがって、平面度が確保された記録媒体に対して、記録が行われるため、良好な記録結果を得ることができる。
【００１６】
本発明の他の記録装置は、上記の支持装置と、板状部材の支持面に支持された支持対象物である記録媒体に対し、紫外線硬化型インクを吐出するインクジェットヘッドを有する記録部と、板状部材の支持面に向けて紫外線を照射する照射部と、を備え、複数の吸引孔は、第１の方向に延在し且つ第２の方向に並んだ複数の吸引孔列を構成しており、各第１延在部材は、第２の方向において各吸引孔列と重複しない位置に設けられていることを特徴とする。
【００１７】
紫外線硬化型インクを吐出するインクジェットヘッドにより記録を行う場合、板状部材のサイズよりも記録媒体のサイズが小さいと、照射部から照射された紫外線が、板状部材の表面等で反射して、インクジェットヘッドのノズルに入射するおそれがある。この場合、ノズル内の紫外線硬化型インクが硬化してしまい、吐出不良となる。このため、板状部材の表面を、紫外線を反射しないよう、黒色等に形成することが考えられる。しかしながら、このようにしても、板状部材を支持する第１延在部材が、板状部材に形成された吸引孔から上方に覗いている場合には、第１延在部材の上面を黒色等に形成しないと、照射部から照射された紫外線が、吸引孔を通って第１延在部材の上面で反射し、インクジェットヘッドのノズルに入射するおそれがある。
これに対し、本構成によれば、各第１延在部材が、第２の方向において各吸引孔列と重複しない位置に設けられていることで、第１延在部材が吸引孔から上方に覗くことがない。これにより、第１延在部材の上面を黒色等に形成することなく、照射部から照射された紫外線が第１延在部材の上面で反射してインクジェットヘッドのノズルに入射することを防止できる。したがって、ノズル内での紫外線硬化型インクの硬化による吐出不良を防止することができる。
【図面の簡単な説明】
【００１８】
【図１】本発明の一実施形態に係る記録装置の斜視図である。
【図２】記録装置の背面図である。
【図３】記録装置における記録処理部の斜視図である。
【図４】記録処理部の正面図である。
【図５】記録装置におけるＹ軸移動部廻りを後方から見た断面図である。
【図６】記録装置における支持ステージの一部分解斜視図である。
【図７】板状部材を取り除いた支持ステージの一部分解斜視図である。
【図８】支持ステージにおけるＹ軸延在部材およびＸ軸延在部材を示す斜視図である。
【図９】（ａ）は板状部材およびＹ軸延在部材を示す平面図であり、（ｂ）は（ａ）において一点鎖線で囲んだ部分の拡大図である。
【図１０】板状部材の締結状態を示す断面図である。
【発明を実施するための形態】
【００１９】
以下、添付の図面を参照し、本発明の一実施形態に係る記録装置について説明する。この記録装置は、紫外線硬化型インク（ＵＶインク）をインクジェット方式で吐出することにより、記録媒体に所望の画像を記録するものである。記録媒体としては、例えばサイン・ディスプレイ用のボード材等、様々な厚みのものを想定している。以下の説明では、水平面内における記録装置の長手方向（前後方向）をＹ軸方向と定義し、水平面内においてＹ軸方向と直交する方向（左右方向）をＸ軸方向と定義し、鉛直方向（上下方向）をＺ軸方向と定義する。なお、Ｙ軸方向は、特許請求の範囲における「第１の方向」の一例であり、Ｘ軸方向は、特許請求の範囲における「第２の方向」の一例である。
【００２０】
図１に示すように、記録装置１は、上面に載置された記録媒体を水平に支持する支持ステージ２（支持装置）と、支持ステージ２の四隅に設けられ、支持ステージ２を水平に支持する４本の脚材３と、Ｘ軸方向に延在し、支持された記録媒体に対して記録を行う記録処理部４と、支持ステージ２の下側に設けられ、支持ステージ２に対し記録処理部４をＹ軸方向に移動させるＹ軸移動部５（図５参照）とを備えている。記録装置１は、支持ステージ２に支持された記録媒体に対し、記録処理部４に搭載されたインクジェットヘッド１６（図４参照）を移動させて記録を行う、いわゆるフラットベッドタイプのものである。なお、図１では、記録処理部４が、記録装置１の後端部に移動した状態を示している。
【００２１】
記録処理部４の右端部には、インクジェットヘッド１６に紫外線硬化型インクを供給するインク供給部６が収容されている。４本の脚材３には、それぞれキャスター７が設けられており、作業者が、記録装置１を簡易に移動できるようになっている。
【００２２】
また、記録装置１の前端部には、左右両端部において２本の脚材３に支持された操作部８が設けられている。操作部８は、作業者による入力操作を受け付ける操作パネル９を有している。操作パネル９には、各種操作ボタン１１や後述する吸着切換レバー１２などが配置されている。
【００２３】
図２に示すように、記録装置１の後端部には、２本の脚材３の間を塞ぐようにして、取付プレート１３が固定されている。取付プレート１３の内側には、電装ボックス１４が取り付けられている。さらに、電装ボックス１４内には、支持ステージ２上に記録媒体を吸着するための吸引ブロアー１５（吸引部）が収容されている。
【００２４】
図３および図４に示すように、記録処理部４は、インクジェットヘッド１６および紫外線照射ユニット１７（照射部）を有する記録ユニット１８と、記録ユニット１８をＸ軸方向に往復動させるＸ軸移動部１９と、右端部に設けられ、インクジェットヘッド１６の機能の保守および回復を図るメンテナンスユニット２１とを備えている。
【００２５】
さらに、記録処理部４は、支持ステージ２上を横断するようにＸ軸方向に延在し、Ｘ軸移動部１９を支持する横架フレーム２２と、それぞれ支持ステージ２の下方まで延在し、横架フレーム２２を左右両側で支持する左右一対のサイドフレーム２３と、支持ステージ２の下側でサイドフレーム２３同士を連結する連結フレーム２４とを備えている。すなわち、横架フレーム２２、一対のサイドフレーム２３および連結フレーム２４により、支持ステージ２を囲い込む「口」の字状（方形状）のフレーム部が構成されている。また、各サイドフレーム２３と連結フレーム２４との間には、記録ユニット１８を、支持ステージ２に対してＺ軸方向に移動させる昇降移動部２５が組み込まれている。
【００２６】
記録ユニット１８は、２つのインクジェットヘッド１６と、２つのインクジェットヘッド１６をＸ軸方向に並べて搭載したキャリッジ２６と、２つのインクジェットヘッド１６をＸ軸方向に挟むようにして設けられた２つの紫外線照射ユニット１７とを有している。
【００２７】
各インクジェットヘッド１６は、例えば圧電素子により吐出駆動するものであり、Ｙ軸方向に延在する色別複数のノズル列（図示省略）を有している。すなわち、複数色の紫外線硬化型インクを吐出可能に構成されている。また、２つのインクジェットヘッド１６は、相互にＹ軸方向（ノズル列方向）に位置ズレして配置されている。
【００２８】
各紫外線照射ユニット１７は、紫外線照射ランプを有し、支持ステージ２の上面に向けて紫外線を照射する。これにより、インクジェットヘッド１６から記録媒体に吐出・着弾した紫外線硬化型インクを硬化（定着）させる。
【００２９】
Ｘ軸移動部１９は、記録ユニット１８をＸ軸方向に往復動させるＸ軸移動機構２７と、記録ユニット１８の往復動をガイドする上下一対のガイド軸２８とを有している。Ｘ軸移動機構２７は、ベルト機構で構成されており、キャリッジ２６および各紫外線照射ユニット１７が連結されたタイミングベルト２９と、タイミングベルト２９が架け渡された駆動プーリー３１および従動プーリー３２と、駆動プーリー３１を駆動する正逆回転可能なＸ軸モーター３３と、で構成されている。Ｘ軸モーター３３が正逆回転することで、タイミングベルト２９が正逆走行し、記録ユニット１８がガイド軸２８に沿ってＸ軸方向に往復動する。また、この往復動に伴って、インクジェットヘッド１６が紫外線硬化型インクを吐出すると共に紫外線照射ユニット１７が紫外線を照射する。
【００３０】
各昇降移動部２５は、連結フレーム２４に対してサイドフレーム２３をＺ軸方向に駆動する昇降駆動機構３４と、サイドフレーム２３を昇降可能に保持する昇降ガイド３５とを有している。詳細は省略するが、昇降駆動機構３４は、ボールネジ機構で構成され、昇降ガイド３５は、ＬＭガイド（登録商標）などのリニアガイドで構成されている。各昇降移動部２５により、各サイドフレーム２３を昇降させることで、横架フレーム２２およびＸ軸移動部１９を介して、インクジェットヘッド１６を昇降させる。これにより、支持ステージ２に対してインクジェットヘッド１６が離接され、支持ステージ２に支持された記録媒体とインクジェットヘッド１６とのギャップが調整される。
【００３１】
図５に示すように、Ｙ軸移動部５は、支持ステージ２の下側の左右中間に設けられたＹ軸移動機構３６と、支持ステージ２の下側の左右両端に設けられた左右一対のＹ軸ガイド３７とを有している。
【００３２】
Ｙ軸移動機構３６は、ボールネジ機構により構成されており、記録処理部４をＹ軸方向に移動させる。Ｙ軸移動機構３６は、Ｙ軸方向に延在するように支持ステージ２の下側に固定されたボールネジ３８と、ボールネジ３８に螺合するナット部材３９と、ナット部材３９を回転駆動する正逆回転可能なＹ軸モーター４１とを有している。ナット部材３９は、連結部材４２を介して連結フレーム２４に回転可能に連結されている。
【００３３】
各Ｙ軸ガイド３７は、ＬＭガイドにより構成されており、支持ステージ２に対し、記録処理部４をＹ軸方向にスライド可能に支持する。各Ｙ軸ガイド３７は、Ｙ軸方向に延在するように支持ステージ２（後述するレール取付ベース４９）の下面に固定されたガイドレール４３と、連結フレーム２４が固定されると共にガイドレール４３上をスライドするスライダー４４とを有している。
【００３４】
Ｙ軸モーター４１が正逆回転することで、ナット部材３９が回転しながらボールネジ３８に沿ってＹ軸方向に往復動し、連結フレーム２４においてナット部材３９に連結された記録処理部４が、Ｙ軸ガイド３７にガイドされてＹ軸方向に往復動する。
【００３５】
以上のように構成された記録装置１により記録媒体に記録を行う場合、まず、記録媒体を支持ステージ上に吸着セットする。続いて、昇降移動部２５により、記録媒体の厚みに応じて、記録媒体とインクジェットヘッド１６とのギャップを調整する。この状態で、記録処理部４のＹ軸方向への移動及び停止と、記録処理部４が停止した状態において記録ユニット１８をＸ軸方向へ移動させ、記録ユニット１８のＸ軸方向への移動に同期して、インクジェットヘッド１６の吐出駆動および紫外線照射ユニット１７の紫外線照射を行う。これにより、記録媒体に対し、所望の画像が記録される。
【００３６】
図６ないし図８に示すように、支持ステージ２は、Ｙ軸方向において、記録装置１の後端部に移動した記録処理部４が臨む待機エリアＡと、記録媒体が吸着セットされる吸着エリアＢとに区画されている。
【００３７】
支持ステージ２は、Ｙ軸方向に梁状に延在する左右一対の構造形材４５と、一対の構造形材４５により下方から支持され、記録媒体が吸着セットされる吸着テーブル４６と、吸着テーブル４６の下方でＸ軸方向に延在し、吸着テーブル４６を支持する複数のＸ軸延在部材５６（第２延在部材）とを備えている。また、一対の構造形材４５の間には、右方寄りに位置してＹ軸方向に延在し、構造形材４５と共に後述する吸引流路を構成する中間形材４７が設けられている。
【００３８】
各構造形材４５および中間形材４７は、断面方形の鋼管で構成されている。一対の構造形材４５の前端部には、両者を接続するようにして固定フレーム４８が固定されている。一対の構造形材４５の前端部は、固定フレーム４８を介して、脚材３に支持されている。一方、一対の構造形材４５の後端部は、それぞれ脚材３に支持されている。
【００３９】
一対の構造形材４５の下面には、上記のガイドレール４３が取り付けられるレール取付ベース４９（図５参照）がそれぞれ固定されている。一方、一対の構造形材４５の上面には、吸着テーブル４６が載置されるテーブル取付ベース５１がそれぞれ固定されている。
【００４０】
吸着テーブル４６は、テーブル取付ベース５１上に取り付けられたボックス部５２と、上面に記録媒体が載置される５枚の板状部材５３と、ボックス部５２と板状部材５３との間に設けられた格子状のシール材５４と、ボックス部５２と各板状部材５３との間でＹ軸方向に延在し、板状部材５３を支持する複数のＹ軸延在部材５５（第１延在部材）とを備えている。
【００４１】
ボックス部５２は、上面が開放された浅い箱状に形成されている。５枚の板状部材５３は、Ｙ軸方向に並設されている。各板状部材５３は、例えばパンチングメタルで構成されており、複数の吸引孔５７が上下に貫通形成されている。各板状部材５３の上面、すなわち記録媒体が吸着される吸着面５３ａ（図１０参照）は、黒色など、紫外線の反射率が低い色に形成されている。これにより、紫外線照射ユニット１７から板状部材５３の上面に向けて照射された紫外線が、板状部材５３の上面で反射してインクジェットヘッド１６のノズルに入射することが防止されている。
【００４２】
図９に示すように、複数の吸引孔５７は、Ｙ軸方向にそれぞれ延び且つＸ軸方向に並んだ複数の吸引孔列５８を構成している。各吸引孔列５８は、Ｙ軸方向に等ピッチで並んだ複数の吸引孔５７から成る。隣接する吸引孔列５８同士は、Ｙ軸方向に半ピッチ位置ズレして設けられている。
【００４３】
図１０に示すように、各板状部材５３の前後両端部には、固定ネジ５９（締結部材）が挿通する挿通孔６１が複数形成されている。固定ネジ５９は皿小ネジで構成され、挿通孔６１はザグリ孔に形成されており、固定ネジ５９の頭部が各板状部材５３の上面から突出しないようになっている。各板状部材５３の前後両端部に設けられた固定ネジ５９は、Ｘ軸延在部材５６（後述する支持ブロック６７）に形成された固定孔６２に螺合し、図示省略したが、各板状部材５３の前後中間部に設けられた固定ネジ５９は、ボックス部５２に形成された固定孔６２に螺合している。この固定ネジ５９により、板状部材５３がＸ軸延在部材５６やボックス部５２に締結される。
【００４４】
図７および図１０に示すように、シール材５４は、例えば断面方形の硬質スポンジ材で構成され、５枚の板状部材５３に対応した格子状に形成されている。シール材５４は、ボックス部５２と各板状部材５３との間隙を封止する。このシール材５４により、ボックス部５２と板状部材５３との間には、５枚の板状部材５３に対応して５つに区画された吸引チャンバー６３（図１０参照）が構成される。さらに、ボックス部５２の底面には、各吸引チャンバー６３と上記の吸引ブロアー１５とを連通する５本の吸引枝管（図示省略）がそれぞれ接続される接続孔６４（図７参照）が開口している。吸引ブロアー１５により、各吸引チャンバー６３内を排気することで、板状部材５３に形成された複数の吸引孔５７に負圧吸引力が作用する。
【００４５】
５本の吸引枝管のうち、上流端が前側３つの吸引チャンバー６３にそれぞれ接続された吸引枝管は、下流端が左側に設けられた構造形材４５に接続されている。また、５本の吸引枝管のうち、上流端が後側２つの吸引チャンバー６３にそれぞれ接続された吸引枝管は、下流端が中間形材４７に接続されている。左側に設けられた構造形材４５の前端部と、中間形材４７の前端部とは、操作パネル９の下方を通る操作管（図示省略）により接続されている。さらに、左側に設けられた構造形材４５の後端部近傍には、下流端が電装ボックス１４に接続された接続管（図示省略）の上流端が接続されている。すなわち、各吸引チャンバー６３と吸引ブロアー１５とを連通する吸引流路が、中間形材４７と、操作管と、構造形材４５と、接続管とにより構成されている。さらに、操作管には、操作パネル９に設けられた吸着切換レバー１２の操作により、吸引流路を開閉する開閉弁（図示省略）が介設されている。
【００４６】
前側３つの吸引チャンバー６３は、常時、吸引ブロアー１５と連通している。このため、吸着エリアＢのうち、前側３つの吸引チャンバー６３に対応した領域は、吸引ブロアー１５の駆動時には、常時、負圧吸引力が作用する常時吸着エリアＢ１となる。これに対し、後側２つの吸引チャンバー６３は、吸着切換レバー１２の操作により、吸引ブロアー１５との連通状態と非連通状態とが切換可能となっている。このため、吸着エリアＢのうち、後側２つの吸引チャンバー６３に対応した領域は、吸着切換レバー１２の操作により、負圧吸引力が作用する状態と作用しない状態とが切り換わる吸着切換エリアＢ２となる。
【００４７】
作業者は、吸着エリアＢに対して記録媒体が小さい場合には、吸引孔５７からの空気漏れを防ぐため、記録媒体の周囲をフィルム材等で目張りする必要がある。この点、吸着切換エリアＢ２に記録媒体が載置されない場合には、吸着切換レバー１２の操作により、吸着切換エリアＢ２に負圧吸引力が作用しない状態とすることで、吸着切換エリアＢ２においては、目張りをする手間を省くことができる。具体的には、記録媒体のサイズが、板状部材５３の２枚分に相当する場合には、記録媒体を、常時吸着エリアＢ１のうち前から１枚目および２枚目の板状部材５３上に載置すると共に、吸着切換エリアＢ２には負圧吸引力が作用しない状態とすることで、前から３枚目の板状部材５３にのみ目張りをすればよいことになる。
なお、本実施形態では、５つの吸引チャンバー６３のうち、前側３つの吸引チャンバー６３を常時吸着エリアＢ１とし、後側２つの吸引チャンバー６３を吸着切換エリアＢ２としたが、その配置割合はこれに限定されるものではなく、各吸引枝管の接続先を構造形材４５とするか中間形材４７とするかで、適宜変更可能である。
【００４８】
複数のＹ軸延在部材５５は、それぞれ断面矩形状の細長い板状に形成されており、断面長手方向が上下となる姿勢でＹ軸方向に延在している。また、複数のＹ軸延在部材５５は、相互の間隔が広狭交互になるようにして、Ｘ軸方向に並んでいる。すなわち、複数のＹ軸延在部材５５は、固定ネジ５９が挿通する挿通孔６１の左右両側近傍を支持するように設けられている。なお、Ｙ軸延在部材５５相互の広狭の間隔のうち、広い方の間隔は、板状部材５３が所定の平面度を確保できる範囲内で、設定することが好ましい。
【００４９】
ボックス部５２の前後両端部には、それぞれＸ軸方向に延在する前後一対の保持部材６５が設けられている。一対の保持部材６５には、各Ｙ軸延在部材５５の前後両端部をそれぞれ係止する係止部（図示省略）が複数形成されている。すなわち、各Ｙ軸延在部材５５は、ボックス部５２の底面に載置されると共に、一対の保持部材６５により保持されている。そして、複数のＹ軸延在部材５５の各上面は、水平面内に位置しており、上面に載置された板状部材５３を水平に支持している。
【００５０】
このように、支持ステージ２では、板状部材５３が複数のＹ軸延在部材５５により支持されていることで、板状部材５３が下方に撓むことが防止される。さらに、Ｙ軸方向に延在した複数のＹ軸延在部材５５により板状部材５３を支持することで、島状に分散配置された複数のスペーサーにより板状部材５３を支持する場合に比べ、部品点数を削減することができる。したがって、記録媒体が載置される板状部材５３上面の平面度を、簡易な構成によって確保することができる。
【００５１】
各Ｙ軸延在部材５５は、Ｘ軸方向において、板状部材５３に形成された各吸引孔列５８と重複しない位置に設けられている（図９参照）。すなわち、各Ｙ軸延在部材５５が吸引孔５７から上方に覗かないようになっている。これにより、紫外線照射ユニット１７から板状部材５３の上面に向けて照射された紫外線が、Ｙ軸延在部材５５の上面で反射してインクジェットヘッド１６のノズルに入射することを防止できる。したがって、ノズル内での紫外線硬化型インクの硬化による吐出不良を防止することができる。
【００５２】
さらに、Ｘ軸方向において、間隔が狭いＹ軸延在部材５５同士の間隙には、固定ネジ５９が挿通している。すなわち、板状部材５３は、固定ネジ５９による締結箇所の左右両側近傍において、Ｙ軸延在部材５５によって支持されている。これにより、板状部材５３が固定ネジ５９の締結力によって変形することが防止される。したがって、板状部材５３上面の平面度をより良好に確保することができる。
【００５３】
複数のＸ軸延在部材５６は、断面矩形状に形成された複数の支持ブロック６７と、断面「Ｌ」字状に形成された複数のＬ字部材６８とで構成されており、支持ブロック６７とＬ字部材６８とが、Ｙ軸方向に交互に並んでいる。すなわち、Ｙ軸方向において、各板状部材５３の前後両端部に相当する位置には、支持ブロック６７がそれぞれ設けられ、各板状部材５３の前後中間部に相当する位置には、Ｌ字部材６８が設けられている。各支持ブロック６７の下方には、Ｘ軸方向に延在し、支持ブロック６７を支持するＸ軸鋼管６９が設けられている。支持ブロック６７、Ｌ字部材６８およびＸ軸鋼管６９は、それぞれの左右両端部が、左右の構造形材４５の内側面に接合されている。そして、複数の支持ブロック６７の各上面および複数のＬ字部材６８の各上端面は、上記のテーブル取付ベース５１の各上面と共に、水平面内に位置しており、上面に載置されたボックス部５２を水平に支持している。
【００５４】
このように、支持ステージ２では、複数のＹ軸延在部材５５および板状部材５３が、Ｙ軸方向に並んだ複数のＸ軸延在部材５６によりボックス部５２を介して支持されていることで、複数のＹ軸延在部材５５および板状部材５３が、Ｘ軸方向において下方に撓むことが防止される。したがって、板状部材５３上面の平面度をより良好に確保することができる。
【００５５】
以上のように、本実施形態の記録装置１によれば、板状部材５３上面の平面度を、簡易な構成によって確保することができる支持ステージ２を備えたことで、板状部材５３上面に載置された記録媒体表面の平面度も確保される。したがって、平面度が確保された記録媒体に対して、インクジェットヘッド１６から紫外線硬化型インクが適切に着弾し、良好な記録結果を得ることができる。
【００５６】
なお、本実施形態では、記録装置１として、インクジェット方式で紫外線硬化型インクを吐出するものを例に挙げて説明したが、これに限定されるものではなく、他のインクを吐出するものであってもよく、インクジェット方式以外のものであってもよい。また、支持ステージ２として、記録媒体を支持するものを例に挙げて説明したが、これに限定されるものではなく、シート状、板状など、上面の平面度が要求される支持対象物を支持する装置に対して、本発明を適用可能である。
【００５７】
また、本実施形態においては、記録ユニット１８をＸＹ方向に移動して記録を行う記録装置１に本発明を適用したが、ラインヘッドを有した記録ユニット１８を、Ｙ軸方向のみに移動して記録を行う記録装置１（いわゆるラインプリンター）に本発明を適用する構成であってもよい。
【符号の説明】
【００５８】
１：記録装置、２：支持ステージ、５２：ボックス部、５３：板状部材、５５：Ｙ軸延在部材、５６：Ｘ軸延在部材
【図１】
2014188792.tif 000003
【図２】
2014188792.tif 000004
【図３】
2014188792.tif 000005
【図４】
2014188792.tif 000006
【図５】
2014188792.tif 000007
【図６】
2014188792.tif 000008
【図７】
2014188792.tif 000009
【図８】
2014188792.tif 000010
【図９】
2014188792.tif 000011
【図１０】
2014188792.tif 000012